(57)【要約】【課題】他の無線通信手段で使用される周波数帯のノイズを信号ラインから除去すると共に信号ラインから電源ラインへの侵入を防止することが可能なバイアスＴ回路を提供する。【解決手段】バイアスＴ回路２２は、ＷｉＧｉｇ方式の無線通信部２とＷｉ−Ｆｉ方式の無線通信部３を備える電子機器１において、ＷｉＧｉｇ方式の無線通信部２に設けられる。バイアスＴ回路２２は、信号ライン２５とＤＣ−ＤＣコンバータ２１との間に設けられ、互いに直列に接続されるインダクタ２２ａ，２２ｂ，２２ｃと、Ｗｉ−Ｆｉ方式の無線通信部３で使用される周波数帯に減衰特性を有するフィルタ２２ｄとを備え、このフィルタ２２ｄの一端がインダクタ２２ａ，２２ｂ，２２ｃのうちの信号ライン２５側から１段目のインダクタ２２ａと信号ライン２５との間に接続される。【選択図】  図２
2018061104.tif 000002
【特許請求の範囲】
【請求項１】
複数の無線通信手段を備える電子機器において、前記複数の無線通信手段のうちの一の無線通信手段に設けられるバイアスＴ回路であって、
周波数帯が異なる複数の信号が流れる信号ラインと電源との間に設けられ、互いに直列に接続される複数のインダクタと、
前記複数の無線通信手段のうちの他の無線通信手段で使用される所定の周波数帯に減衰特性を有するフィルタと、
を備え、
前記フィルタの一端が、前記複数のインダクタのうちの前記信号ライン側から１段目の前記インダクタと前記信号ラインとの間に接続されることを特徴とするバイアスＴ回路。
【請求項２】
前記フィルタは、コンデンサとインダクタによって共振回路が構成され、当該共振回路の共振周波数が前記他の無線通信手段で使用される前記所定の周波数帯になるように調整されることを特徴とする請求項１に記載のバイアスＴ回路。
【請求項３】
前記信号ラインは、増幅器の入力側又は出力側に接続される信号ラインであることを特徴とする請求項１又は請求項２に記載のバイアスＴ回路。
【請求項４】
前記複数の無線通信手段は、無線通信方式が異なることを特徴とする請求項１〜請求項３の何れか一項に記載のバイアスＴ回路。
【請求項５】
前記一の無線通信方式の無線通信手段は、前記他の無線通信方式の無線通信手段で使用される前記所定の周波数帯よりも高い周波数帯を使用し、前記周波数帯が異なる複数の信号を組み合わせることで前記所定の周波数帯よりも高い周波数帯の信号を生成することを特徴とする請求項４に記載のバイアスＴ回路。
【請求項６】
前記一の無線通信方式の無線通信手段は、ＷｉＧｉｇ方式の無線通信手段であることを特徴とする請求項５に記載のバイアスＴ回路。
【請求項７】
前記他の無線通信方式の無線通信手段は、Ｗｉ−Ｆｉ方式の無線通信手段であり、
前記所定の周波数帯は、２．４ＧＨｚ帯又は／及び５ＧＨｚ帯であることを特徴とする請求項４〜請求項６の何れか一項に記載のバイアスＴ回路。
【発明の詳細な説明】
【技術分野】
【０００１】
本発明は、バイアスＴ回路に関する。
【背景技術】
【０００２】
バイアスＴ回路（バイアスティ回路）は、例えば、信号が流れる信号ラインと電源との間に設けられ、信号ラインに直流成分（直流電圧、直流電流）を重畳させる。バイアスＴ回路には、信号ラインから信号が電源ラインに侵入しないように構成されており、特に、周波数帯が異なる複数の信号が電源ラインに侵入しないように構成されているものがある。
【０００３】
例えば、特許文献１には、所定の周波数帯を使用する広帯域な高周波信号を増幅する増幅回路に直流のバイアス電流を供給する広帯域バイアス回路が開示されている。この広帯域バイアス回路は、広帯域で電源側とのアイソレーションを高くするために、増幅回路の入力側と出力側の少なくとも一方の接続点と電源との間に接続された３段以上のインダクタを備えている。
【０００４】
また、特許文献２には、能動素子（トランジスなど）に入力される交流信号に直流成分を供給するバイアス回路が開示されている。このバイアス回路は、複数の周波数帯で同時に直流成分を能動素子に供給するために、能動素子に直流成分を供給するバイアス供給端子とグランドとの間に接続された並列キャパシタと、この並列キャパシタに並列に接続され、一端がバイアス供給端子に接続された並列回路と、を備えている。この並列回路は、直流電源接続点とバイアス供給端子との間に接続されたＮ個のインダクタと、隣り合うインダクタの各接続点とグランドとの間にそれぞれ接続されたＮ−１個の直列共振器（キャパシタとインダクタ）と、を含む。
【先行技術文献】
【特許文献】
【０００５】
【特許文献１】特開２０１０−２３２９８８号公報
【特許文献２】特開２０１１−８２８０９号公報
【発明の概要】
【発明が解決しようとする課題】
【０００６】
ところで、近年、パーソナルコンピュータなどの電子機器には、異なる複数の無線通信方式（例えば、Ｗｉ−Ｆｉ（登録商標）方式とＷｉＧｉｇ（登録商標）方式）を用いて無線通信を行うものがある。Ｗｉ−Ｆｉ方式では、２．４ＧＨｚ帯又は／及び５ＧＨｚ帯を使用して無線通信を行う。ＷｉＧｉｇ方式では、６０ＧＨｚ帯を使用して無線通信を行う。ＷｉＧｉｇ方式の無線通信手段では、例えば、３つの異なる周波数帯の信号を組み合わせて６０ＧＨｚ帯の信号（ミリ波信号）を生成する。
【０００７】
このように電子機器内に複数の無線通信方式の無線通信手段が存在すると（特に、近接して配置されていると）、一の無線通信方式の無線通信手段で発生した所定の周波数帯のノイズによって他の無線通信方式の無線通信手段の通信品質の劣化等（自家中毒）を招くおそれがある。例えば、ＷｉＧｉｇ方式の無線通信手段において２．４ＧＨｚ帯のノイズ又は５ＧＨｚ帯のノイズが発生すると、この周波数帯を使用するＷｉ−Ｆｉ方式の無線通信手段の無線通信に悪影響を及ぼすおそれがある。そのため、一の無線通信方式の無線通信手段において、他の無線通信方式で使用される周波数帯のノイズが発生する可能性がある場合、例えば、この周波数帯のノイズが同軸ケーブルから放射されるおそれがあるので、この周波数帯のノイズを信号ラインから除去する必要がある。また、この周波数帯のノイズがバイアスＴ回路を介して信号ラインから電源ラインに侵入することも防止する必要がある。
【０００８】
特許文献１に開示の技術では、バイアス回路における直列に接続された各インダクタのインダクタンスをそれぞれ調整して各高周波信号の周波数帯でインピーダンスをそれぞれ高くすることで、信号ラインを流れる周波数帯が異なる複数の高周波信号の電源ラインへの侵入を防止することができる。しかし、特許文献１に開示の技術では、バイアス回路に複数の高周波信号の各周波数帯以外の周波数帯のノイズ（例えば、上述した他の無線通信方式で使用される周波数帯のノイズ）を除去するためのフィルタなどが設けられていないので、この周波数帯のノイズを信号ラインから除去できず、また、この周波数帯のノイズの信号ラインから電源ラインへの侵入を防止することもできない。
【０００９】
また、特許文献２に開示の技術では、バイアス回路における直列に接続された各インダクタのインダクタンスやインダクタ間に接続された直列共振器の共振周波数などをそれぞれ調整して各交流信号の周波数帯でインピーダンスをそれぞれ高くすることで、信号ラインを流れる周波数帯が異なる複数の交流信号の電源ラインへの侵入を防止することができる。しかし、特許文献２に開示の技術では、インダクタとコンデンサからなる直列共振器と信号ラインとの間にインダクタが存在するので、このインダクタの影響を受けて信号ライン側から見た共振周波数と電源ライン側から見た共振周波数とが異なるため、複数の交流信号の各周波数帯以外の周波数帯のノイズ（例えば、上述した他の無線通信方式で使用される周波数帯のノイズ）の信号ラインからの除去と信号ラインから電源ラインへの侵入防止とを両立させることができない。
【００１０】
本発明は、上記問題点を解消する為になされたものであり、複数の無線通信手段を備える電子機器において一の無線通信手段に設けられるバイアスＴ回路であって、他の無線通信手段で使用される周波数帯のノイズを信号ラインから除去すると共に信号ラインから電源ラインへの侵入を防止することが可能なバイアスＴ回路を提供することを目的とする。
【課題を解決するための手段】
【００１１】
本発明に係るバイアスＴ回路は、複数の無線通信手段を備える電子機器において、複数の無線通信手段のうちの一の無線通信手段に設けられるバイアスＴ回路であって、周波数帯が異なる複数の信号が流れる信号ラインと電源との間に設けられ、互いに直列に接続される複数のインダクタと、複数の無線通信手段のうちの他の無線通信手段で使用される所定の周波数帯に減衰特性を有するフィルタと、を備え、フィルタの一端が、複数のインダクタのうちの信号ライン側から１段目のインダクタと信号ラインとの間に接続されることを特徴とする。
【００１２】
本発明に係るバイアスＴ回路では、信号ラインと電源との間に複数の直列のインダクタが設けられているので、この各インダクタのインダクタンスを調整することで信号ラインを流れる周波数帯が異なる複数の信号が電源側（電源ライン）に流れない。特に、本発明に係るバイアスＴ回路では、他の無線通信手段で使用される所定の周波数帯に減衰特性を有するフィルタを備えているので、このフィルタにより信号ラインを流れる所定の周波数帯のノイズを減衰することができる。また、本発明に係るバイアスＴ回路では、このフィルタの一端が信号ライン側から１段目のインダクタと信号ラインとの間に接続されているので、フィルタの減衰特性を示す周波数帯がインダクタの影響でずれない。これにより、本発明に係るバイアスＴ回路によれば、他の無線通信手段で使用される所定の周波数帯のノイズを信号ラインから除去することができると共に、その所定の周波数帯のノイズの信号ラインから電源ラインへの侵入を防止することができる。そのため、一の無線通信手段で発生したノイズによる他の無線通信手段に対する影響を抑制することができる。
【００１３】
本発明に係るバイアスＴ回路では、フィルタは、コンデンサとインダクタによって共振回路が構成され、当該共振回路の共振周波数が他の無線通信手段で使用される所定の周波数帯になるように調整されることが好ましい。このように構成することで、他の無線通信手段で使用される所定の周波数帯に減衰特性を有するフィルタを構成することができる。
【００１４】
本発明に係るバイアスＴ回路では、信号ラインは、増幅器の入力側又は出力側に接続される信号ラインであることが好ましい。このように構成することで、バイアスＴ回路によって増幅器に入力又は出力される信号（交流信号）に直流成分を重畳することができる。
【００１５】
本発明に係るバイアスＴ回路では、複数の無線通信手段は、無線通信方式が異なることが好ましい。このように構成することで、一の無線通手段において無線通信方式が異なる他の無線通信手段で使用される所定の周波数帯のノイズを発生した場合でも、一の無線通信手段に設けられるバイアスＴ回路により、その所定の周波数帯のノイズを信号ラインから除去することができると共にその所定の周波数帯のノイズの信号ラインから電源ラインへの侵入を防止することができる。
【００１６】
本発明に係るバイアスＴ回路では、一の無線通信方式の無線通信手段は、他の無線通信方式の無線通信手段で使用される所定の周波数帯よりも高い周波数帯を使用し、周波数帯が異なる複数の信号を組み合わせることで所定の周波数帯よりも高い周波数帯の信号を生成することが好ましい。特に、本発明に係るバイアスＴ回路では、この一の無線通信方式の無線通信手段は、ＷｉＧｉｇ方式の無線通信手段であることが好ましい。このように構成することで、他の無線通信方式の無線通信手段よりも高い周波数帯を使用する一の無線通信方式の無線通信手段で所定の周波数帯のノイズを発生した場合でも、一の無線通信方式の無線通信手段に設けられるバイアスＴ回路により、その所定の周波数帯のノイズを信号ラインから除去することができると共にその所定の周波数帯のノイズの信号ラインから電源ラインへの侵入を防止することができる。
【００１７】
本発明に係るバイアスＴ回路では、他の無線通信方式の無線通信手段は、Ｗｉ−Ｆｉ方式の無線通信手段であり、所定の周波数帯は、２．４ＧＨｚ帯又は／及び５ＧＨｚ帯であることが好ましい。このように構成することで、一の無線通信方式の無線通信手段で２．４ＧＨｚ又は５ＧＨｚのノイズが発生した場合でも、２．４ＧＨｚ帯又は／及び５ＧＨｚ帯に減衰特性を有するフィルタを備えるバイアスＴ回路により、２．４ＧＨｚ帯又は５ＧＨｚ帯のノイズを信号ラインから除去することができると共に２．４ＧＨｚ帯又は５ＧＨｚ帯のノイズの信号ラインから電源ラインへの侵入を防止することができる。
【発明の効果】
【００１８】
本発明によれば、複数の無線通信手段を備える電子機器において一の無線通信手段に設けられるバイアスＴ回路により、他の無線通信手段で使用される周波数帯のノイズを信号ラインから除去すると共に信号ラインから電源ラインへの侵入を防止することが可能となる。
【図面の簡単な説明】
【００１９】
【図１】実施形態に係る電子機器に設けられるＷｉＧｉｇ方式の無線通信部とＷｉ−Ｆｉ方式の無線通信部の概略的な構成を示すブロック図である。
【図２】実施形態に係るバイアスＴ回路の回路図である。
【図３】信号ラインを伝導するノイズのＳ２１特性の一例を示す図である。
【図４】信号ラインから電源ラインに侵入するノイズのＳ３１特性の一例を示す図である。
【発明を実施するための形態】
【００２０】
以下、図面を参照して本発明の好適な実施形態について詳細に説明する。なお、図中、同一又は相当部分には同一符号を用いることとする。また、各図において、同一要素には同一符号を付して重複する説明を省略する。
【００２１】
本実施形態では、少なくともＷｉＧｉｇ方式（特許請求の範囲に記載の一の無線通信方式に相当）とＷｉ−Ｆｉ方式（特許請求の範囲に記載の他の無線通信方式に相当）を用いて無線通信を行う電子機器に適用する。本実施形態に係る電子機器では、本発明に係るバイアスＴ回路を、ＷｉＧｉｇ方式の無線通信部に設けられるバイアスＴ回路に適用する。
【００２２】
なお、ＷｉＧｉｇ（Ｗｉｒｅｌｅｓｓ  Ｇｉｇａｂｉｔ）は、無線ＬＡＮ規格のひとつであり、６０ＧＨｚ帯を使用する。本実施形態では、異なる３つの周波数帯のベースバンド信号を組み合わせて６０ＧＨｚ帯の信号（ミリ波信号）を生成する。Ｗｉ−Ｆｉ（Ｗｉｒｅｌｅｓｓ  Ｆｉｄｅｌｉｔｙ）は、無線ＬＡＮ規格のひとつであり、２．４ＧＨｚ帯又は／及び５ＧＨｚ帯を使用する。
【００２３】
図１及び図２を参照して、実施形態に係る電子機器１における無線通信機能（ＷｉＧｉｇ方式の無線通信部２、Ｗｉ−Ｆｉ方式の無線通信部３）について説明する。図１は、実施形態に係る電子機器１に設けられるＷｉＧｉｇ方式の無線通信部２とＷｉ−Ｆｉ方式の無線通信部３の概略的な構成を示すブロック図である。図２は、実施形態に係るバイアスＴ回路２２の回路図である。
【００２４】
電子機器１は、無線通信機能として、ＷｉＧｉｇ方式の無線通信部２（特許請求の範囲に記載の一の無線通信方式の無線通信手段に相当）とＷｉ−Ｆｉ方式の無線通信部３（特許請求の範囲に記載の他の無線通信方式の無線通信手段に相当）を備えている。電子機器１は、例えば、パーソナルコンピュータである。ＷｉＧｉｇ方式の無線通信部２の通信対象としては、例えば、ディスプレイである。Ｗｉ−Ｆｉ方式の無線通信部３の通信対象としては、例えば、プリンタである。
【００２５】
まず、無線通信部２について説明する。無線通信部２は、ＷｉＧｉｇ方式であり、通信規格としてＩＥＥＥ８０２．１１ａｄ規格が採用される。無線通信部２は、６０ＧＨｚ帯を使用する。無線通信部２は、ＢＢＩＣ（Ｂａｓｅ  Ｂａｎｄ  Ｉｎｔｅｇｒａｔｅｄ  Ｃｉｒｃｕｉｔ）２０と、ＤＣ−ＤＣコンバータ２１（特許請求の範囲に記載の電源に相当）と、バイアスＴ回路２２と、ＲＦＩＣ（Ｒａｄｉｏ  Ｆｒｅｑｕｅｎｃｙ  Ｉｎｔｅｇｒａｔｅｄ  Ｃｉｒｃｕｉｔ）２３と、アンテナ２４とを備えている。
【００２６】
ＢＢＩＣ２０は、複数の異なる周波数帯のベースバンド信号の生成処理等を行うＩＣである。ＢＢＩＣ２０は、例えば、６０ＧＨｚ帯よりも低い３つの異なる周波数帯（例えば、１ＧＨｚ未満の所定の周波数帯、１〜１０ＧＨｚ間の所定の周波数帯、１０ＧＨｚ以上の所定の周波数帯）のベースバンド信号を生成する。ＢＢＩＣ２０が実装される基板には、複数のベースバンド信号が流れる信号ライン２５（配線パターン）が形成されている。ＢＢＩＣ２０には、信号ライン２５が接続されている。
【００２７】
ＤＣ−ＤＣコンバータ２１は、任意の直流電圧を変換して所望の直流電圧を出力する直流電源である。ＤＣ−ＤＣコンバータ２１が実装される基板には、ＤＣ−ＤＣコンバータ２１の直流電圧を供給するための電源ライン２６（配線パターン）が形成されている。ＤＣ−ＤＣコンバータ２１には、電源ライン２６が接続されている。
【００２８】
バイアスＴ回路２２は、ＤＣ−ＤＣコンバータ２１から出力される直流電圧を信号ライン２５に重畳させる回路である。特に、バイアスＴ回路２２は、Ｗｉ−Ｆｉ方式の無線通信部３で使用される周波数帯のノイズに対するノイズ対策機能を有している。バイアスＴ回路２２は、信号ライン２５とＤＣ−ＤＣコンバータ２１（特に、ＤＣ−ＤＣコンバータ２１が接続される電源ライン２６）との間に設けられる。バイアスＴ回路２２は、図２に示すように、３つのインダクタ２２ａ，２２ｂ，２２ｃと、フィルタ２２ｄと、を備えている。
【００２９】
インダクタ２２ａ，２２ｂ，２２ｃは、ＢＢＩＣ２０で生成された３つの異なる周波数帯のベースバンド信号が信号ライン２５からＤＣ−ＤＣコンバータ２１側（電源ライン２６）に侵入することを防止するためのインダクタである。インダクタ２２ａ，２２ｂ，２２ｃは、信号ライン２５とＤＣ−ＤＣコンバータ２１（電源ライン２６）との間に設けられ、互いに直列に接続されている。各インダクタ２２ａ，２２ｂ，２２ｃは、３つのベースバンド信号の各周波数帯でインピーダンスが高くなるインダクタンスをそれぞれ有している。
【００３０】
フィルタ２２ｄは、Ｗｉ−Ｆｉ方式の無線通信部３で使用される周波数帯のノイズを減衰（除去）するためのフィルタである。フィルタ２２ｄは、無線通信部３で使用される周波数帯において減衰特性を有する。フィルタ２２ｄは、例えば、図２に示すように、インダクタ２２ｅとコンデンサ２２ｆとを直列に接続することで構成される直列共振回路である。この直列共振回路の共振周波数（インピーダンスが最も小さくなる周波数）が、無線通信部３で使用される周波数帯（２．４ＧＨｚ又は５ＧＨｚ）と一致するように調整されている。このような共振周波数になるように、フィルタ２２ｄのインダクタ２２ｅのインダクタンスとコンデンサ２２ｆの静電容量が設定される。例えば、無線通信部３で使用される周波数帯が２．４ＧＨｚ帯の場合、インダクタ２２ｅのインダクタンスを３．９ｎＨとし、コンデンサ２２ｆの静電容量を１．２ｐＦとする。
【００３１】
フィルタ２２ｄの一端は、信号ライン２５（特に、信号ライン２５におけるバイアスＴ回路２２の接続点２５ａ）とインダクタ２２ａ，２２ｂ，２２ｃのうちの最も信号ライン２５側に接続される１段目のインダクタ２２ａとの間（信号ライン２５の接続点２５ａ、インダクタ２２ａの一端も含む）に接続される。この箇所にフィルタ２２ｄを接続することにより、フィルタ２２ｄの共振周波数が、信号ライン２５側から見た場合でもＤＣ−ＤＣコンバータ２１側から見た場合でも、インダクタ２２ａ，２２ｂ，２２ｃのインダクタンスの影響を受けない（共振周波数がずれない）。特に、フィルタ２２ｄの一端は、信号ライン２５上の接続点２５ａに接続されると好ましい。この箇所にフィルタ２２ｄを接続することにより、フィルタ２２ｄの共振周波数が配線のインダクタンスの影響を最も受け難くなる。フィルタ２２ｄの他端は、グランドに接続される。
【００３２】
なお、信号ライン２５上の接続点２５ａよりもＢＢＩＣ２０側には、バンドパスフィルタを設けてもよい。このバンドパスフィルタは、例えば、ＢＢＩＣ２０で生成される３つの異なる周波数帯のベースバンド信号を通過させる通過周波数帯域を有するフィルタである。
【００３３】
ＲＦＩＣ２３は、複数のベースバンド信号と６０ＧＨｚの信号（ミリ波信号）との間の各種処理を行うＩＣである。ＲＦＩＣ２３は、例えば、ＢＢＩＣ２０で生成された３つの異なる周波数帯のベースバンド信号を組み合わせて、送信用の６０ＧＨｚのミリ波信号を生成（変調）する。ＲＦＩＣ２３には、接続線２７を介して信号ライン２５が接続されている。ＲＦＩＣ２３には、ＷｉＧｉｇ用のアンテナ２４が接続されている。ＲＦＩＣ２３には、例えば、信号ライン２５から接続線２７を介して入力されるベースバンド信号を増幅する増幅器が設けられていてもよい。
【００３４】
なお、ＢＢＩＣ２０、ＤＣ−ＤＣコンバータ２１及びバイアスＴ回路２２は、同一の基板に設けられている。この基板に設けられる信号ライン２５とＲＦＩＣ２３とは、接続線２７（例えば、同軸ケーブル）を介して接続されている。信号ライン２５に重畳された直流電圧は、ＲＦＩＣ２３を動作させる直流電源となる。
【００３５】
次に、無線通信部３について説明する。無線通信部３は、Ｗｉ−Ｆｉ方式であり、例えば、ＩＥＥＥ８０２．１１ａ規格、ＩＥＥＥ８０２．１１ｂ規格、ＩＥＥＥ８０２．１１ｇ規格、ＩＥＥＥ８０２．１１ｎ規格、ＩＥＥＥ８０２．１１ａｃ規格のうちの何れかの通信規格が採用される。無線通信部３は、２．４ＧＨｚ帯又は／及び５ＧＨｚ帯を使用する。無線通信部３は、Ｗｉ−Ｆｉ通信回路３０と、アンテナ３１とを備えている。Ｗｉ−Ｆｉ通信回路３０は、公知のＷｉ−Ｆｉ用の無線通信回路であるため、ここでは詳細な説明を省略する。Ｗｉ−Ｆｉ通信回路３０では、例えば、２．４ＧＨｚ帯の信号を生成する。Ｗｉ−Ｆｉ通信回路３０には、Ｗｉ―Ｆｉ用のアンテナ３１が接続されている。
【００３６】
無線通信部３（Ｗｉ−Ｆｉ通信回路３０、アンテナ３１）は、無線通信部２の近傍に配置されている。Ｗｉ−Ｆｉ通信回路３０は、無線通信部２のＢＢＩＣ２０、ＤＣ−ＤＣコンバータ２１及びバイアスＴ回路２２が設けられた同一の基板に設けられてもよい。このように無線通信部３が無線通信部２の近傍に配置されているので、無線通信部３は、無線通信部２で発生するノイズの影響を受けるおそれがある。例えば、無線通信部２の信号ライン２５とＲＦＩＣ２３とを繋ぐ接続線２７から放射されるノイズが無線通信部３のアンテナ３１で受信されたり、無線通信部２の電源ライン２６にのったノイズが無線通信部３の電源系に回り込むと、無線通信部３がノイズの影響を受けるおそれがある。
【００３７】
特に、無線通信部２では無線通信部３よりも高い周波数帯を使用しているので、無線通信部２において無線通信部３で使用される２．４ＧＨｚ帯又は／及び５ＧＨｚ帯のノイズが発生すると、この周波数帯のノイズにより無線通信部３での無線通信の通信品質の劣化などを招くおそれがある。このような電子機器１での自家中毒を抑制するために、無線通信部２には上述したノイズ対策機能を有するバイアスＴ回路２２が設けられている。
【００３８】
このバイアスＴ回路２２は、ノイズ対策のために、無線通信部３で使用される周波数帯において減衰特性を有するフィルタ２２ｄを有しており、このフィルタ２２ｄの一端が信号ライン２５と１段目のインダクタ２２ａとの間に接続されている。このバイアスＴ回路２２のノイズ対策機能の作用を説明する。
【００３９】
無線通信部３で使用される周波数帯（例えば、２．４ＧＨｚ帯）のノイズが信号ライン２５に入った場合、フィルタ２２ｄの共振周波数がこの無線通信部３で使用される周波数帯に一致するように調整されているので、フィルタ２２ｄのインピーダンスはこの周波数帯で最も低くなる。そのため、この周波数帯のノイズが、信号ライン２５の接続点２５ａからバイアスＴ回路２２に入ると、フィルタ２２ｄ側に流れ、フィルタ２２ｄを介してグランドに流れる。
【００４０】
これにより、信号ライン２５から無線通信部３で使用される周波数帯のノイズを除去することができる。その結果、無線通信部３で使用される周波数帯のノイズが、信号ライン２５において接続点２５ａよりもＲＦＩＣ２４側に伝導し難くなる（全く伝導しない場合も含む）。また、無線通信部３で使用される周波数帯のノイズが、ＤＣ−ＤＣコンバータ２１側（電源ライン２６）に流れ込み難くなる（全く流れ込まない場合も含む）。
【００４１】
特に、フィルタ２２ｄの一端が信号ライン２５と１段目のインダクタ２２ａとの間に接続されているので、フィルタ２２ｄの共振周波数が何れのインダクタ２２ａ，２２ｂ，２２ｃの影響も受けない。そのため、信号ライン２５側とＤＣ−ＤＣコンバータ２１側（電源ライン２６）の何れの側から見た場合でも、フィルタ２２ｄの共振周波数が変わらないので、信号ライン２５と電源ライン２６（ＤＣ−ＤＣコンバータ２１側）の両方から無線通信部３で使用される周波数帯のノイズを効果的に減衰することができる。
【００４２】
次に、図３を参照して、バイアスＴ回路２２を用いた場合の信号ライン２５を伝導するノイズの減衰特性の一例を示して、バイアスＴ回路２２の効果を説明する。ここでは、一部の構成が異なるバイアスＴ回路を用いた場合の３つの比較例の減衰特性も示す。図３は、信号ライン２５を伝導するノイズに対するＳ２１特性の一例を示す図である。図３では、横軸が周波数（ＭＨｚ）であり、縦軸がＳ２１（ｄＢ）である。
【００４３】
信号ライン２５における接続点２５ａよりもＢＢＩＣ２０側をＰｏｒｔ１とし、信号ライン２５における接続点２５ａよりもＲＦＩＣ２３側をＰｏｒｔ２とする。Ｓ２１は、信号ライン２５におけるＰｏｒｔ１からＰｏｒｔ２へのノイズの減衰特性を示す。このＳ２１の値が小さいほど、減衰していること（信号ライン２５のＰｏｒｔ１側からＰｏｒｔ２側に伝導し難いこと）を示す。一方、Ｓ２１の値が大きいほど（０ｄＢに近いほど）、減衰していないこと（信号ライン２５のＰｏｒｔ１側からＰｏｒｔ２側に伝導し易いこと）を示す。
【００４４】
３つの比較例のバイアスＴ回路は、フィルタ２２ｄがないバイアスＴ回路（３段のインダクタ２２ａ，２２ｂ，２２ｃのみのバイアスＴ回路）と、フィルタ２２ｄと同様の構成のフィルタの一端が１段目のインダクタ２２ａと２段目のインダクタ２２ｂとの間に接続されたバイアスＴ回路と、フィルタ２２ｄと同様の構成のフィルタの一端が２段目のインダクタ２２ｂと３段目のインダクタ２２ｃとの間に接続されたバイアスＴ回路と、である。なお、この例では、フィルタ２２ｄは、インダクタ２２ｅのインダクタンスが３．９ｎＨであり、コンデンサ２２ｆの静電容量が１．２ｐＦであり、共振周波数が２．４ＧＨｚである。
【００４５】
図３において、実線Ｓ１で示すグラフは、実施形態に係るバイアスＴ回路２２を用いた場合の減衰特性を示す。破線Ｓ０で示すグラフは、フィルタ２２ｄがないバイアスＴ回路を用いた場合の減衰特性を示す。一点鎖線Ｓ２で示すグラフは、フィルタが１段目と２段目のインダクタ２２ａ，２２ｂ間に接続されたバイアスＴ回路を用いた場合の減衰特性を示す。二点鎖線Ｓ３で示すグラフは、フィルタが２段目と３段目のインダクタ２２ｂ，２２ｃ間に接続されたバイアスＴ回路を用いた場合の減衰特性を示す。
【００４６】
実施形態に係るバイアスＴ回路２２を用いた場合、グラフＳ１で示すように、２．４ＧＨｚ帯においてＳ２１が最も小さくなっており、２．４ＧＨｚ帯で減衰特性が高くなっている。したがって、２．４ＧＨｚ帯でノイズが最も減衰し、２．４ＧＨｚ帯のノイズが信号ライン２５のＰｏｒｔ１側からＰｏｒｔ２側に伝導し難い。この２．４ＧＨｚ帯以外の周波数帯においては、Ｓ２１が小さくなっており、２．４ＧＨｚ帯以外の周波数帯ではノイズ（又は信号）が減衰し難く、２．４ＧＨｚ帯以外の周波数帯ではノイズ（又は信号）が信号ライン２５のＰｏｒｔ１側からＰｏｒｔ２側に伝導し易い。
【００４７】
フィルタがないバイアスＴ回路を用いた場合、グラフＳ０で示すように、Ｓ２１が小さくなっておらず（０ｄＢに近くなっており）、ノイズ（又は信号）が殆ど減衰せず、ノイズ（又は信号）が信号ライン２５のＰｏｒｔ１側からＰｏｒｔ２側に伝導し易い。
【００４８】
フィルタが１段目と２段目のインダクタ２２ａ，２２ｂ間に接続されたバイアスＴ回路を用いた場合、グラフＳ２で示すように、２．４ＧＨｚ帯よりも低い周波数帯（２ＧＨｚ付近）で減衰特性が高くなっている。この場合、この低い周波数帯でノイズが減衰し、この低い周波数帯のノイズが信号ライン２５のＰｏｒｔ１側からＰｏｒｔ２側に伝導し難い。しかし、２．４ＧＨｚ帯のノイズは、信号ライン２５のＰｏｒｔ１側からＰｏｒｔ２側に伝導し易い。この比較例の場合、フィルタと信号ライン２５との間にインダクタ２２ａが存在するので、このフィルタ２２ａの影響を受けて共振周波数が２．４ＧＨｚからずれ、２．４ＧＨｚ帯よりも低い周波数帯で減衰特性が高くなっている。
【００４９】
フィルタが２段目と３段目のインダクタ２２ｂ，２２ｃ間に接続されたバイアスＴ回路を用いた場合、グラフＳ３で示すように、ノイズ（又は信号）が殆ど減衰せず、２．４ＧＨｚ帯のノイズが信号ライン２５のＰｏｒｔ１側からＰｏｒｔ２側に伝導し易い。
【００５０】
この図３に示す例から判るように、実施形態に係るバイアスＴ回路２２を用いた場合、フィルタがない場合やフィルタがインダクタ２２ａ，２２ｂ間又はインダクタ２２ｂ，２２ｃ間に接続される場合に比べて、信号ライン２５から２．４ＧＨｚ帯のノイズを効果的に減衰（除去）でき、２．４ＧＨｚ帯のノイズが信号ライン２５を伝導し難い。したがって、この効果を得るためには、２．４ＧＨｚ帯に減衰特性を有するフィルタ２２ｄの一端を信号ライン２５と１段目のインダクタ２２ａとの間に接続する必要がある。
【００５１】
次に、図４を参照して、バイアスＴ回路２２を用いた場合の信号ライン２５から電源ライン２６（ＤＣ−ＤＣコンバータ２１側）に侵入するノイズの減衰特性の一例を示して、バイアスＴ回路２２のもう一つの効果を説明する。ここでは、一部の構成が異なるバイアスＴ回路を用いた場合の３つの比較例の減衰特性も示す。図４は、信号ライン２５から電源ライン２６に侵入するノイズに対するＳ３１特性の一例を示す図である。図４では、横軸が周波数（ＭＨｚ）であり、縦軸がＳ３１（ｄＢ）である。比較例で用いる３つのバイアスＴ回路は、上述した信号ラインを伝導するノイズの減衰特性の比較例で用いる３つのバイアスＴ回路と同じものである。
【００５２】
信号ライン２５における接続点２５ａよりもＢＢＩＣ２０側をＰｏｒｔ１とし、ＤＣ−ＤＣコンバータ２１側（電源ライン２６）をＰｏｒｔ３とする。Ｓ３１は、信号ライン２５におけるＰｏｒｔ１から電源ライン２６におけるＰｏｒｔ３へのノイズの減衰特性を示す。このＳ３１の値が小さいほど、減衰していること（信号ライン２５から電源ライン２６（ＤＣ−ＤＣコンバータ２１側）に侵入し難いこと）を示す。一方、Ｓ３１の値が大きいほど（０ｄＢに近いほど）、減衰していないこと（信号ライン２５から電源ライン２６に侵入し易いこと）を示す。
【００５３】
図４において、実線Ｐ１で示すグラフは、実施形態に係るバイアスＴ回路２２を用いた場合の減衰特性を示す。破線Ｐ０で示すグラフは、フィルタがないバイアスＴ回路を用いた場合の減衰特性を示す。一点鎖線Ｐ２で示すグラフは、フィルタが１段目と２段目のインダクタ２２ａ，２２ｂ間に接続されたバイアスＴ回路を用いた場合の減衰特性を示す。二点鎖線Ｐ３で示すグラフは、フィルタが２段目と３段目のインダクタ２２ｂ，２２ｃ間に接続されたバイアスＴ回路を用いた場合の減衰特性を示す。
【００５４】
実施形態に係るバイアスＴ回路２２を用いた場合、グラフＰ１で示すように、２．４ＧＨｚ帯においてＳ３１が小さくなっており、２．４ＧＨｚ帯で減衰特性が高くなっている。したがって、２．４ＧＨｚ帯でノイズが減衰し、２．４ＧＨｚ帯のノイズが信号ライン２５から電源ライン２６（ＤＣ−ＤＣコンバータ２１側）に流れ込み難い。
【００５５】
フィルタがないバイアスＴ回路を用いた場合、グラフＰ０で示すように、２．４ＧＨｚ帯でＳ３１が小さくなっておらず、ノイズが２．４ＧＨｚ帯で減衰せず、２．４ＧＨｚ帯のノイズが信号ライン２５から電源ライン２６に流れ込み易い。
【００５６】
フィルタが１段目と２段目のインダクタ２２ａ，２２ｂ間に接続されたバイアスＴ回路を用いた場合、グラフＰ２で示すように、２．４ＧＨｚ帯で減衰特性が高くなっている。また、フィルタ２２ｄが２段目と３段目のインダクタ２２ｂ，２２ｃ間に接続されたバイアスＴ回路を用いた場合も、グラフＰ３で示すように、２．４ＧＨｚ帯で減衰特性が高くなっている。したがって、２．４ＧＨｚ帯でノイズが減衰し、２．４ＧＨｚ帯のノイズが信号ライン２５から電源ライン２６に流れ込み難い。これらの各比較例の場合、Ｐｏｒｔ３側（ＤＣ−ＤＣコンバータ２１側）から見ると、実施形態に係るバイアスＴ回路２２を用いた場合とフィルタの共振周波数が変わらないので、実施形態に係るバイアスＴ回路２２を用いた場合と同様に２．４ＧＨｚ帯で減衰特性が高くなっている。
【００５７】
この図４に示す例から判るように、実施形態に係るバイアスＴ回路２２を用いた場合、フィルタがない場合に比べて、２．４ＧＨｚ帯のノイズが信号ライン２５から電源ライン２６（ＤＣ−ＤＣコンバータ２１側）に侵入することを防止することができる。したがって、この効果を得るためには、バイアスＴ回路２２に２．４ＧＨｚ帯に減衰特性を有するフィルタ２２ｄを設ける必要である。
【００５８】
実施形態に係るバイアスＴ回路２２によれば、Ｗｉ−Ｆｉ式の無線通信部３で使用される周波数帯に減衰特性を有するフィルタ２２ｄの一端を信号ライン２５と１段目のインダクタ２２ａとの間に接続することにより、無線通信部３で使用される周波数帯のノイズが発生した場合でも、その周波数帯のノイズを信号ライン２５から除去することができると共に、その周波数帯のノイズが信号ライン２５から電源ライン２６（ＤＣ−ＤＣコンバータ２１側）に侵入することも防止することができる。これにより、ＷｉＧｉｇ方式の無線通信部２で発生したノイズによるＷｉ−Ｆｉ方式の無線通信部３に対する影響を抑制することができる。
【００５９】
実施形態に係るバイアスＴ回路２２によれば、インダクタ２２ｅとコンデンサ２２ｆによって直列共振回路を構成し、この直列共振回路の共振周波数が無線通信部３で使用される周波数帯になるように調整することにより、無線通信部３で使用される周波数帯に減衰特性を有するフィルタ２２ｄを簡易な回路で構成することができる。
【００６０】
以上、本発明の実施の形態について説明したが、本発明は、上記実施形態に限定されるものではなく種々の変形が可能である。例えば、上記実施形態ではＷｉＧｉｇ方式とＷｉ−Ｆｉ方式が用いられる電子機器１に適用したが、Ｂｌｕｅｔｏｏｔｈ（登録商標）等の他の無線通信方式が用いられる電子機器に適用してもよい。
【００６１】
上記実施形態ではバイアスＴ回路２２に１つの周波数帯に減衰特性（１つの共振周波数）を有するフィルタ２２ｄを設ける構成としたが、他の無線通信方式の無線通信手段で複数の周波数帯を用いている場合、その各周波数帯に対応して複数の周波数帯に減衰特性（複数の共振周波数）を有するフィルタを設ける構成にするとよい。
【符号の説明】
【００６２】
１  電子機器
２  ＷｉＧｉｇ方式の無線通信部
３  Ｗｉ−Ｆｉ方式の無線通信部
２０  ＢＢＩＣ
２１  ＤＣ−ＤＣコンバータ
２２  バイアスＴ回路
２２ａ，２２ｂ，２２ｃ  インダクタ
２２ｄ  フィルタ
２２ｅ  インダクタ
２２ｆ  コンデンサ
２３  ＲＦＩＣ
２４  アンテナ
２５  信号ライン
２６  電源ライン
２７  接続線
３０  Ｗｉ−Ｆｉ通信回路
３１  アンテナ
【図１】
2018061104.tif 000003
【図２】
2018061104.tif 000004
【図３】
2018061104.tif 000005
【図４】
2018061104.tif 000006